(57)【要約】【課題】各枠部材の間に隙間が生ずるのを防止し得る貯蔵庫の扉構造を提供する。【解決手段】ガラス板１８の上下方向に延在する端縁に取付けられる縦枠部材２０と、ガラス板１８の左右方向に延在する端縁に取付けられる横枠部材とを連結部材４１を介して固定する。ここで、連結部材４１における縦横の枠部材２０に固定される第１および第２連結部４３の夫々を、ガラス板１８に向かうにつれて庫外側から庫内側に傾斜するよう形成し、該第１および第２連結部４３と縦横の枠部材２０とを固定した際に、各枠部材２０が連結部４３の傾斜に沿って庫外側から庫内側に傾斜して、各枠部材２０の接合部位に隙間が生じないよう構成した。【選択図】図３
2006063698.tif 000002
【特許請求の範囲】
【請求項１】
矩形状をなす透明板(18)の上下方向に延在する端縁に取付けられる縦枠部材(20)と、前記縦枠部材の両端部に形成され、前記透明板(18)に向かうにつれて他方の端部側に傾斜する第１傾斜部(36)と、前記透明板(18)の左右方向に延在する端縁に取付けられる横枠部材(22)と、前記横枠部材(22)の両端部に形成され、前記透明板(18)に向かうにつれて他方の端部側に傾斜する第２傾斜部(37)と、前記縦枠部材(20)に固定される第１連結部(43)および前記横枠部材(22)に固定される第２連結部(45)を有する連結部材(41)とからなり、両枠部材(20,22)を前記連結部材(41)に固定した際に、前記縦枠部材(20)の第１傾斜部(36)と横枠部材(22)の第２傾斜部(37)とが衝合するようにした貯蔵庫の扉構造において、
前記第１および第２連結部(43,45)における庫外側の面(51)および庫内側の面(49)の少なくとも一方を、前記透明板(18)に向かうにつれて庫外側から庫内側に傾斜するよう形成し、
第１および第２連結部(43,45)における庫外側から庫内側に傾斜させた面(49)に、前記縦横の枠部材(20,22)の夫々を固定することで、該縦横の枠部材(20,22)を第１および第２連結部(43,45)に沿って庫外側から庫内側に傾斜して、前記第１傾斜部(36)と第２傾斜部(37)とを密着的に衝合させるよう構成した
ことを特徴とする貯蔵庫の扉構造。
【発明の詳細な説明】
【技術分野】
【０００１】
本発明は、貯蔵庫の扉構造に関し、更に詳細には、透明板の外周縁に取付けられる縦枠部材と横枠部材とを連結部材を介して固定するよう構成した貯蔵庫の扉構造に関するものである。
【背景技術】
【０００２】
ショーケース等の貯蔵庫は、前方に開口するよう断熱箱体を形成し、該断熱箱体の前方開口を開閉するガラス扉を組付けて構成される。そして、前記ガラス扉の構成として、ガラス板の外周縁に縦横の枠部材を嵌込むと共に、各枠部材を連結部材で連結固定するよう構成されたものが知られている(例えば、特許文献１参照)。特許文献１に記載されているガラス扉は、前記縦横の枠部材の両端部に、略４５°に傾斜する傾斜部を形成し、縦横の枠部材の傾斜部を突合わせた状態で、前記連結部材により両枠部材を固定することにより、両枠部材が略直角に交差した状態で組付けられるよう構成されている。
【特許文献１】特開２００３−２９４３５５号公報
【発明の開示】
【発明が解決しようとする課題】
【０００３】
ところで、前述したように、前記縦横の枠部材の端部を略４５°に傾斜するよう構成した場合には、縦横の枠部材の傾斜部が精度よく加工されていないと、両枠部材の端部間に隙間が生ずる問題がある。また、前記ガラス扉を組付けるに際しては、前記縦横の枠部材を治具で保持していない場合には、縦枠部材と横枠部材との突合わせ部位(すなわち傾斜部の間)に隙間が生ずるため、組付け作業が煩雑になる欠点が指摘される。そして、前記縦横の枠部材における突合わせ部位、特に庫外側に隙間が生ずると、見栄えが悪くなると共に、該隙間から各枠部材の内部に水滴やゴミ等が侵入して衛生状態を維持するのが困難となる問題を招く。
そこで、本発明は、各枠部材における庫外側の突合わせ端部の間に隙間が生ずるのを防止し得る貯蔵庫の扉構造を提供することを目的とする。
【課題を解決するための手段】
【０００４】
前記課題を克服し、所期の目的を達成するため、本発明に係る貯蔵庫の扉構造は、
矩形状をなす透明板の上下方向に延在する端縁に取付けられる縦枠部材と、前記縦枠部材の両端部に形成され、前記透明板に向かうにつれて他方の端部側に傾斜する第１傾斜部と、前記透明板の左右方向に延在する端縁に取付けられる横枠部材と、前記横枠部材の両端部に形成され、前記透明板に向かうにつれて他方の端部側に傾斜する第２傾斜部と、前記縦枠部材に固定される第１連結部および前記横枠部材に固定される第２連結部を有する連結部材とからなり、両枠部材を前記連結部材に固定した際に、前記縦枠部材の第１傾斜部と横枠部材の第２傾斜部とが衝合するようにした貯蔵庫の扉構造において、
前記第１および第２連結部における庫外側の面および庫内側の面の少なくとも一方を、前記透明板に向かうにつれて庫外側から庫内側に傾斜するよう形成し、
第１および第２連結部における庫外側から庫内側に傾斜させた面に、前記縦横の枠部材の夫々を固定することで、該縦横の枠部材を第１および第２連結部に沿って庫外側から庫内側に傾斜して、前記第１傾斜部と第２傾斜部とを密着的に衝合させるよう構成したことを特徴とする。
【発明の効果】
【０００５】
本発明の請求項１に係る貯蔵庫の扉構造によれば、縦横の枠部材に固定される連結部材の第１および第２連結部における庫外側の面および庫内側の面の少なくとも一方を、透明板に向かうにつれて庫外側から庫内側に傾斜するよう形成したことにより、第１および第２連結部と縦横の枠部材とを固定した際に、各枠部材が連結部の傾斜に沿って庫外側から庫内側に傾斜する。すなわち、各枠部材における第１および第２傾斜部が近接して、両傾斜部が密着的に衝合して隙間が生ずるのを防止し得る。従って、見栄えを良好にし得ると共に、良好な衛生状態を維持することができる。
【発明を実施するための最良の形態】
【０００６】
次に、本発明に係る貯蔵庫の扉構造につき、好適な実施例を挙げて、添付図面を参照しながら以下説明する。なお、実施例では、貯蔵庫としてのショーケースに取付けられる扉の構造を例示する。また、実施例において前後および左右とは、特に示した場合を除き、図１に示すようにショーケースを前面側(正面側)から視た状態で指称する。
【実施例】
【０００７】
図１に示すように、実施例のショーケース１０は、内箱と外箱との間に断熱材が発泡充填された筐体１２と、該筐体１２の前面側に開設された開口部を開閉し得るよう枢支されたガラス扉１６と、庫内を冷却する冷凍機構(図示せず)とから基本的に構成される。ここで、冷凍機構を構成する冷却器およびファンは、庫内上方に配設されると共に、圧縮機や凝縮器等は、筐体１２の下部に設けた機械室１４に配置されている。そして、前記圧縮機や凝縮器等を運転して冷却器に冷媒を循環供給することで庫内を冷却するよう構成される。
【０００８】
実施例に係るガラス扉１６は、図２に示すように、略矩形状に形成したガラス板(透明板)１８と、該ガラス板１８の左右の端縁(上下方向に延在する端縁)に夫々取付けられる２本の縦枠部材２０,２０と、ガラス板１８の上下の端縁(左右方向に延在する端縁)に夫々取付けられる２本の横枠部材２２,２２と、ガラス扉１６の４隅に配置され、隣接する縦枠部材２０および横枠部材２２を連結する４つの連結部材４１とから基本的に構成される。そして、前記ガラス扉１６の右側部に設けた図示しないヒンジ機構を介して、該ガラス扉１６が前記筐体１２の開口部を開閉し得るよう枢支されている。
【０００９】
図３、図５または図６に示すように、前記各縦枠部材２０および横枠部材２２の夫々は、その長手方向に沿って中空部２４が延在する中空の略矩形筒状に形成されると共に、各枠部材２０,２２における前記ガラス板１８と対向する内側壁部２６に、その長手方向に沿って延在する溝部２６ａを形成してある。そして、前記溝部２６ａに、前記ガラス板１８の対応する端縁を嵌合することで、ガラス板１８の端縁に各枠部材２０,２２が取付けられる。また、前記縦枠部材２０および横枠部材２２の庫外側に位置する前側壁部２８および庫内側に位置する後側壁部３０における前記中空部２４側に、各枠部材２０,２２の長手方向に沿って延在する突出片２８ａ,３０ａが突設されており、該両突出片２８ａ,３０ａと各枠部材２０,２２の外側壁部３２との間に、前記連結部材４１を挿入し得るよう構成されている。
【００１０】
また、前記縦枠部材２０における長手方向の両端部には、外側壁部３２から内側壁部２６に向かうにつれて、他方の端部側に傾斜する第１傾斜部３６,３６が形成されると共に、前記横枠部材２２における長手方向の両端部には、同様に外側壁部３２から内側壁部２６に向かうにつれて、他方の端部側に傾斜する第２傾斜部３７,３７が形成されている。前記第１および第２傾斜部３６,３７は、前記外側壁部３２とのなす角度が略４５°となるよう設定され、隣接する縦枠部材２０の第１傾斜部３６と横枠部材２２の第２傾斜部３７とを突合わせる(衝合する)ことで、両枠部材２０,２２が略直交するようになっている。すなわち、前記各縦枠部材２０と横枠部材２２とを組付けた際に、矩形枠状をなすよう構成される。また、前記各縦横の枠部材２０,２２における後側壁部３０の両端部近傍には、その長手方向に離間する２箇所に前記中空部２４に貫通する通孔３０ｂ,３０ｂが穿設されている(図２参照)。なお、前記ガラス板１８の左端縁に取付けられる縦枠部材２０には、その前側壁部２８に略Ｌ字状の把持部３８が設けられており、該把持部３８に手指を掛けることでガラス扉１６を開閉し得るよう構成されている。
【００１１】
図４に示すように、前記連結部材４１は、前記縦枠部材２０の中空部２４に挿入されて、該縦枠部材２０に連結される第１連結部４３と、前記横枠部材２２の中空部２４に挿入されて、該横枠部材２２に連結される第２連結部４５とから略Ｌ字状に形成される。なお、実施例では、前記第１連結部４３および第２連結部４５は同一形状に形成されており、前記ガラス扉１６の４隅に配設される各連結部材４１は、全て共通部材が用いられている。前記第１および第２連結部４３,４５の夫々は、図４(b)に示すように、前記各縦横の枠部材２０,２２の外側壁部３２に対向する外側面４７と、各枠部材２０,２２の後側壁部３０に対向する後側面４９と、各枠部材２０,２２の前側壁部２８に対向する前側面５１とから、断面略コ字状に形成されている。なお、前記第１および第２連結部４３,４５における前記後側面４９には、前記各縦横の枠部材２０,２２に穿設した前記通孔３０ｂ,３０ｂと前後に整列する位置にネジ孔４９ａ,４９ａが螺設されており、該第１および第２連結部４３,４５を各枠部材２０,２２の中空部２４に挿入したもとで、後側壁部３０側から各通孔３０ｂに挿入したネジ(固定手段)５５をネジ孔４９ａに螺挿することで、枠部材２０,２２に連結部材４１が固定されるようになっている。
【００１２】
そして、前記第１および第２連結部４３,４５における前後の側面４９,５１は、前記外側面４７から各側面４９,５１の端縁部(ガラス板１８)に向かうにつれて、庫外側から庫内側に傾斜するよう形成されている。すなわち、図４(b)に示すように、前記外側面４７と後側面４９とのなす内側の角度角θ1は、θ1＞９０°となるよう設定され、外側面４７と前側面５１とのなす内側の角度θ2は、θ2≦９０°となるよう設定される。なお、図４(b)では第１連結部４３を示したが、第２連結部４５も同様に形成されている。このように、前記後側面４９と前側面５１とを傾斜して形成することで、前記各縦横の枠部材２０,２２と連結部材４１とをネジ固定した際に、各枠部材２０,２２の前側壁部２８におけるガラス板１８側の端縁が庫内側に退避した状態で取付けられる(図３参照)。
【００１３】
なお、前記外側面４７と後側面４９とのなす角度θ1は、９２°≦θ1≦９３°の範囲に設定するのが好ましい。すなわち、前記外側面４７と後側面４９とのなす角度θ1を、θ1＞９３°の範囲に設定した場合には、前記各縦横の枠部材２０,２２の前側壁部２８におけるガラス板１８側の端縁があまりに大きく庫内側に退避した状態で取付けられて、前記溝部２６ａに嵌込んだガラス板１８に過度の負担が掛かるためである。一方、前記外側面４７と前側面５１とのなす角度θ2は、前記各縦横の枠部材２０,２２と連結部材４１とをネジ固定した際に、各縦横の枠部材２０,２２の前側壁部２８と連結部材４１の前側面５１とが干渉しないよう設定すればよい。具体的には、前記外側面４７と前側面５１とのなす角度θ2を、８９°≦θ2≦９０°の範囲に設定するのが好ましい。また、前記第１および第２連結部４３,４５は、前記外側面４７から後側面４９の端縁までの長さ寸法が、前記各縦横の枠部材２０,２２における外側壁部３２から突出片２８ａ,３０ａまでの離間寸法より短く設定されている。すなわち、前記各枠部材２０,２２の中空部２４に前記第１および第２連結部４３,４５を挿入した際に、前記外側壁部３２と外側面４７との間、および前記突出片３０ａと後側面４９の端縁との間に隙間３４,３４が形成されるよう構成してある(図５(a)または図６(a)参照)。
【００１４】
〔実施例の作用〕
次に、実施例に係る貯蔵庫の扉構造の作用につき説明する。先ず、実施例に係るショーケース１０のガラス扉１６の組付け方法につき説明する。一方の縦枠部材２０の上下の端部から前記中空部２４に前記連結部材４１の第１連結部４３を挿入し(図５(a)参照)、該縦枠部材２０の後側壁部３０に穿設した各通孔３０ｂにネジ５５を挿通して、該ネジ５５を各第１連結部４３の対応するネジ孔４９ａに螺挿することで縦枠部材２０の両端部に連結部材４１を固定する。そして、前記縦枠部材２０に固定した各連結部材４１の第２連結部４５を、前記横枠部材２２の中空部２４に夫々挿入し(図６(a)参照)、横枠部材２２の後側壁部３０に穿設した各通孔３０ｂにネジ５５を挿通して、該ネジ５５を各第２連結部４５の対応するネジ孔４９ａに螺挿することで、横枠部材２２を連結部材４１に固定する。この状態で、上下に位置する横枠部材２２,２２の溝部２６ａ,２６ａにガラス板１８の上下の端縁を差込んで、該ガラス板１８の左あるいは右の端縁を縦枠部材２０の溝部２６ａに嵌込む。
【００１５】
また、残る縦枠部材２０の上下の端部から前記中空部２４に前記連結部材４１の第１連結部４３を挿入し、該縦枠部材２０の後側壁部３０に穿設した各通孔３０ｂにネジ５５を挿通して、該ネジ５５を各第１連結部４３の対応するネジ孔４９ａに螺挿して、該縦枠部材２０の両端部に連結部材４１を夫々固定する。更に、この縦枠部材２０に固定した各連結部材４１の第２連結部４５の夫々を、前記ガラス板１８を取付けた前記横枠部材２２,２２の中空部２４,２４に挿入する。そして、前記各横枠部材２２の後側壁部３０に穿設した各通孔３０ｂにネジ５５を挿通すると共に、該ネジ５５を各第２連結部４５の対応するネジ孔４９ａに螺挿することで、各横枠部材２２と連結部材４１とが固定されてガラス扉１６が組付けられる。
【００１６】
ここで、実施例における前記連結部材４１の第１および第２連結部４３,４５は、外側面４７から前後の側面４９,５１の端縁部に向かうにつれて、庫外側から庫内側に傾斜するよう形成してある。このため、前記第１および第２連結部４３,４５の各ネジ孔４９ａにネジ５５を螺挿した際に、前記各枠部材２０,２２の後側壁部３０が対応する連結部４３,４５の後側面４９に当接するよう各枠部材２０,２２が変位する(図５(b)または図６(b)参照)。すなわち、前記縦枠部材２０および横枠部材２２の夫々における前側壁部２８が相互に近接する方向に移動することで、縦枠部材２０の第１傾斜部３６と横枠部材２２の第２傾斜部３７とが密着的に衝合して、その間に隙間が生ずるのを防止し得る。従って、従来のように前記縦枠部材２０の第１傾斜部３６と横枠部材２２の第２傾斜部３７との間から各枠部材の内部に水やゴミ等が侵入することはないから、ガラス扉１６を清潔に保ち得る。
【００１７】
また、縦横の枠部材２０,２２における庫外側に位置する突合わせ端部、すなわち第１および第２傾斜部３６,３７間に隙間が生じないから、見栄えが損なわれることはない。なお、前記各縦横の枠部材２０,２２の中空部２４に前記第１および第２連結部４３,４５を挿入した際に、各枠部材２０,２２の外側壁部３２と連結部４３,４５の外側面４７との間に隙間３４が形成されるよう構成してある。従って、前記各枠部材２０,２２の後側壁部３０が対応する連結部４３,４５の後側面４９に当接するよう変位するに際し、各連結部４５の外側面４７が各枠部材２０,２２の外側壁部３２に接触して、該枠部材２０,２２の変位を阻害することはない。
【００１８】
また、従来のガラス扉１６では、前記縦枠部材２０と横枠部材２２とを組付けるに際し、該縦枠部材２０および横枠部材２２の突合わせ端部(各枠部材２０,２２の第１および第２傾斜部３６,３７の間)に隙間が生じないよう治具等で保持する必要がある。これに対し、実施例のガラス扉１６では、前述のように前記連結部材４１と各枠部材２０,２２とを組付けることで、枠部材２０,２２の突合わせ端部(各枠部材２０,２２の傾斜部３６,３７の間)に隙間が生じないよう構成したから、該枠部材２０,２２を保持する治具等を用いる必要がない。このため、ガラス扉１６の組付け作業を簡略化して作業を短時間で行ない得る利点がある。更には、前記縦横の枠部材２０,２２の第１および第２傾斜部３６,３７の加工精度を高くする必要もなく、コストを低廉に抑えることができる。
【００１９】
〔変更例〕
なお、本発明に係る貯蔵庫の扉構造としては、前述した実施例のものに限られるものではなく、種々の変更が可能である。例えば、実施例では、連結部材の前後の側面を外側面から前後の側面の端縁部に向かうにつれて庫外側から庫内側に傾斜するよう形成したが、少なくとも各枠部材と固定される側面を庫外側から庫内側に傾斜するよう形成すればよい。すなわち、連結部材の形状としては、縦横の枠部材を連結固定した際に、該枠部材の内側端縁を庫内側に退避させ得るよう形成すれば任意に決定することができる。なお、実施例では、本発明に係る構造を備えた扉をショーケースのガラス扉として採用したが、これに限られるものではなく、冷蔵庫や冷凍庫等のように透明板の外周縁に枠部材を取付けるよう構成される貯蔵庫の扉に好適に採用し得る。
【図面の簡単な説明】
【００２０】
【図１】本発明の実施例に係るショーケースを示す正面図である。
【図２】実施例に係るガラス扉を分解して示す正面図である。
【図３】実施例に係るガラス扉の図１におけるＡ−Ａ線断面図である。
【図４】実施例に係る連結部材を示し、(a)は連結部材の正面図であり、(b)は連結部材のＢ−Ｂ線断面図である。
【図５】実施例に係る縦枠部材と連結部材の第１連結部との組付け態様を示す断面図であって、(a)は縦枠部材の中空部に第１連結部を挿入した状態を示し、(b)は縦枠部材と第１連結部とをネジ止めした状態を示す。
【図６】実施例に係る横枠部材と連結部材の第２連結部との組付け態様を示す断面図であって、(a)は横枠部材の中空部に第２連結部を挿入した状態を示し、(b)は横枠部材と第２連結部とをネジ止めした状態を示す。
【符号の説明】
【００２１】
１８ ガラス板(透明板)，２０ 縦枠部材，２２ 横枠部材
４１ 連結部材，４３ 第１連結部，４５ 第２連結部
【図１】
2006063698.tif 000003
【図２】
2006063698.tif 000004
【図３】
2006063698.tif 000005
【図４】
2006063698.tif 000006
【図５】
2006063698.tif 000007
【図６】
2006063698.tif 000008